(57)【要約】【課題】撮影画像をフレーム画像付きで表示するカメラ付き画像表示装置において、撮影された画像データの転送量を削減するとともに、その削減された画像データの転送回数を少なくすることにより、バスの占有率及びＣＰＵの処理負担を軽減して、表示フレームレートを向上すること。【解決手段】表示メモリにフレーム画像となる画像データを予め記憶させ、表示メモリ内の更新エリア、即ち特定領域の撮影画像データのみをＤＭＡ転送する。これにより、撮影された画像データの伝送量を削減するとともに、その削減された画像データの転送回数を少なくする。【選択図】　　　　図１
2004094498.tif 000002
【特許請求の範囲】
【請求項１】
表示パネルに表示すべき表示用画像データを記憶する表示メモリと、撮像装置からの撮影画像データのうちの特定領域の画像データ（以下、領域画像データ）を前記表示メモリに供給する領域画像データ作成部と、前記表示メモリ、前記領域画像データ作成部と結合され、制御を司るＣＰＵとを有し、前記ＣＰＵは、フレーム画像となる画像データを前記表示メモリに記憶させた後は、前記領域画像データ作成部からの前記領域画像データを前記表示メモリにＤＭＡ転送することによって、前記フレーム画像となる画像データと前記領域画像データを合成して前記表示メモリにフレーム付き撮影画像の表示用画像データデータを記憶させ、その表示用画像データを前記表示パネルに表示することを特徴とする画像表示システム。
【請求項２】
表示パネルと、
該表示パネルに表示すべき表示用画像データを記憶する表示メモリと、
該表示メモリに供給されるフレーム画像となる画像データを記憶する記憶部と、
撮像装置と、
該撮像装置で撮影された撮影画像データのうちの特定領域の画像データ（以下、領域画像データ）を前記表示メモリに供給する領域画像データ作成部と、
前記表示パネル、前記表示メモリ、前記記憶部、前記撮像装置、前記領域画像データ作成部と結合され、それらの制御を司るＣＰＵとを備え、
前記ＣＰＵは、前記記憶部からフレーム画像となる画像データを読み出して前記表示メモリに記憶させた後、
前記領域画像データ作成部からの前記領域画像データを前記表示メモリにＤＭＡ転送することによって、前記フレーム画像となる画像データと前記領域画像データを合成して前記表示メモリにフレーム付き撮影画像の表示用画像データデータを記憶させ、
その表示用画像データを前記表示パネルに表示することを特徴とする表示装置。
【請求項３】
前記領域画像データ作成部は、撮影画像データを記憶するバッファメモリと、前記撮影画像中の特定領域を記憶する特定領域記憶手段と、該特定領域記憶手段の特定領域のアドレスを順次発生する転送アドレス発生回路を有し、
前記転送アドレス発生回路からの前記特定領域のアドレスを前記バッファメモリにも供給してそのアドレスの画像データを順次読み出し、前記特定領域のアドレスとその画像データとを出力することを特徴とする、請求項２記載の表示装置。
【請求項４】
前記領域画像データ作成部は、前記撮像装置で撮影された撮影画像データのうちの領域画像データを有効な画像データとして前記表示メモリに供給し、前記特定領域以外の領域の画像データは無効な画像データとすることを特徴とする、請求項２記載の表示装置。
【請求項５】
前記領域画像データ作成部は、前記撮影画像データを記憶するバッファメモリと、前記撮影画像中の特定領域を記憶する特定領域記憶手段と、該特定領域記憶手段からゲート信号が与えられるゲート手段と、読み出しアドレスを発生し、前記バッファメモリ及び前記ゲート手段に供給する読み出しアドレス発生回路とを有し、
前記特定領域記憶手段に記憶されている特定領域に相当する前記読み出しアドレスのみを前記ゲート手段を通過させ、前記領域画像データを有効な画像データとし、前記領域画像データ以外の画像データを無効な画像データとすることを特徴とする、請求項４記載の表示装置。
【請求項６】
前記特定領域記憶手段は、前記特定領域をエリアマップとして記憶するエリアメモリを有することを特徴とする、請求項３、５記載の表示装置。
【請求項７】
前記特定領域記憶手段は、前記特定領域を複数点の座標にしたがって決定させるためのエリアレジスタを有することを特徴とする、請求項３、５記載の表示装置。
【請求項８】
前記特定領域記憶手段は、前記特定領域をエリアマップとして記憶するエリアメモリを有し、前記読み出しアドレス発生回路は、読み出しアドレスを発生する領域を複数点の座標にしたがって決定させるためのエリアレジスタを有することを特徴とする、請求項５記載の表示装置。
【発明の詳細な説明】
【０００１】
【発明の属する技術分野】
本発明は、撮影画像をフレーム画像内に表示させるようにした画像表示システム、及び、フレーム画像内に撮影画像を表示する表示装置に関する。
【０００２】
【従来の技術】
カメラ付き携帯電話やＰＤＡ、パソコン等のモバイル機器では、カメラで撮影した撮影画像を表示装置に表示するに際して、所定形状のフレーム画像中に撮影画像を合成して表示するフレーム付き撮影機能を有するものが多く用いられている。
【０００３】
カメラ付き携帯電話において、このフレーム付き撮影機能は、まず撮影画像をホストＣＰＵによりワークメモリに取り込み、この取り込まれた撮影画像と予め別に用意していたフレーム画像とをソフト処理により合成してフレーム付き撮影画像を形成する。つぎに、形成されたフレーム付き撮影画像を表示用メモリに格納する。そして、この表示用メモリに格納されたフレーム付き撮影画像が、適宜読み出されて、表示パネルに表示される。
【０００４】
【発明が解決しようとする課題】
この従来のフレーム付き撮影機能では、撮影画像のワークメモリへの取り込み及びＣＰＵで合成されたフレーム付き撮影画像の表示用メモリへの格納のために、全体画像の画像データを２回転送する必要があるからバスの占有率が高くなってしまうし、また、画像合成のソフト処理のためにＣＰＵの処理負担が大きくなる。
【０００５】
一方、特開平８−３２９４４号公報では、離れた２地点に設けられた２台のカメラによる撮影画像を伝送して画像合成する際に、一方の撮影画像にウインドウを設定し、不要な領域を除外して伝送する画像伝送装置が、示されている。この画像伝送装置では、伝送すべき画像データを一部削減できるが、２台のカメラによる撮影画像データをそれぞれ取り込み、それらを画像合成して、更に表示メモリに格納する必要がある。したがって、この画像伝送装置の考え方を、従来のフレーム付き撮影機能を持つ携帯電話に適用したとしても、バスの占有率やＣＰＵの処理負担を十分に軽減することは困難である。
【０００６】
そこで、本発明は、撮影された画像データの転送量を削減するとともに、その削減された画像データの転送回数を少なくすることにより、バスの占有率及びＣＰＵの処理負担を軽減して、表示フレームレートを向上することができる、画像表示システム及び表示装置を提供することを目的とする。
【０００７】
【課題を解決するための手段】
請求項１記載の画像表示システムは、表示パネルに表示すべき表示用画像データを記憶する表示メモリと、撮像装置からの撮影画像データのうちの特定領域の画像データ（以下、領域画像データ）を前記表示メモリに供給する領域画像データ作成部と、前記表示メモリ、前記領域画像データ作成部と結合され、制御を司るＣＰＵとを有し、
前記ＣＰＵは、フレーム画像となる画像データを前記表示メモリに記憶させた後は、前記領域画像データ作成部からの前記領域画像データを連続して前記表示メモリにＤＭＡ転送することによって、前記フレーム画像となる画像データと前記領域画像データを合成して前記表示メモリにフレーム付き撮影画像の表示用画像データデータを記憶させ、その表示用画像データを前記表示パネルに表示することを特徴とする。
【０００８】
請求項２記載の表示装置は、表示パネルと、該表示パネルに表示すべき表示用画像データを記憶する表示メモリと、該表示メモリに供給されるフレーム画像となる画像データを記憶する記憶部と、撮像装置と、該撮像装置で撮影された撮影画像データのうちの特定領域の画像データ（以下、領域画像データ）を前記表示メモリに供給する領域画像データ作成部と、前記表示パネル、前記表示メモリ、前記記憶部、前記撮像装置、前記領域画像データ作成部と結合され、それらの制御を司るＣＰＵとを備え、
前記ＣＰＵは、前記記憶部からフレーム画像となる画像データを読み出して前記表示メモリに記憶させた後、前記領域画像データ作成部からの前記領域画像データを連続して前記表示メモリにＤＭＡ転送することによって、前記フレーム画像となる画像データと前記領域画像データを合成して前記表示メモリにフレーム付き撮影画像の表示用画像データデータを記憶させ、その表示用画像データを前記表示パネルに表示することを特徴とする。
【０００９】
請求項３記載の表示装置は、請求項２記載の表示装置において、前記領域画像データ作成部は、撮影画像データを記憶するバッファメモリと、前記撮影画像中の特定領域を記憶する特定領域記憶手段と、該特定領域記憶手段の特定領域のアドレスを順次発生する転送アドレス発生回路を有し、
前記転送アドレス発生回路からの前記特定領域のアドレスを前記バッファメモリにも供給してそのアドレスの画像データを順次読み出し、前記特定領域のアドレスとその画像データとを出力することを特徴とする。
【００１０】
請求項４記載の表示装置は、請求項２記載の表示装置において、前記領域画像データ作成部は、前記撮像装置で撮影された撮影画像データのうちの領域画像データを有効な画像データとして前記表示メモリに供給し、前記特定領域以外の領域の画像データは無効な画像データとすることを特徴とする。
【００１１】
請求項５記載の表示装置は、請求項４記載の表示装置において、前記領域画像データ作成部は、前記撮影画像データを記憶するバッファメモリと、前記撮影画像中の特定領域を記憶する特定領域記憶手段と、該特定領域記憶手段からゲート信号が与えられるゲート手段と、読み出しアドレスを発生し、前記バッファメモリ及び前記ゲート手段に供給する読み出しアドレス発生回路とを有し、
前記特定領域記憶手段に記憶されている特定領域に相当する前記読み出しアドレスのみを前記ゲート手段を通過させ、前記領域画像データを有効な画像データとし、前記領域画像データ以外の画像データを無効な画像データとすることを特徴とする。
【００１２】
請求項６記載の表示装置は、請求項３、５記載の表示装置において、前記特定領域記憶手段は、前記特定領域をエリアマップとして記憶するエリアメモリを有することを特徴とする。
【００１３】
請求項７記載の表示装置は、請求項３、５記載の表示装置において、前記特定領域記憶手段は、前記特定領域を複数点の座標にしたがって決定させるためのエリアレジスタを有することを特徴とする。
【００１４】
請求項８記載の表示装置は、請求項５記載の表示装置において、前記特定領域記憶手段は、前記特定領域をエリアマップとして記憶するエリアメモリを有し、前記読み出しアドレス発生回路は、読み出しアドレスを発生する領域を複数点の座標にしたがって決定させるためのエリアレジスタを有することを特徴とする。
【００１５】
【発明の実施の形態】
以下、図面を参照して本発明の画像表示システム及び表示装置の実施の形態について、説明する。
【００１６】
図１は本発明の第１の実施の形態に係る画像表示装置の構成を示す図である。
【００１７】
図１において、カメラ１０は被写体を撮影し、その撮影画像データを領域画像データ作成部２０に入力するものであり、表示装置に付属していても良いし、表示装置とは別体に設けられているものでも良い。また、カメラとしては、ＣＣＤの他、ライン型のイメージセンサのようなものでも構わない。
【００１８】
領域画像データ作成部２０は、カメラ１０で撮影された撮影画像データのうちの特定領域の画像データ、即ち領域画像データを出力するものであり、カメラからの撮影画像データをインターフェースするカメラＩ／Ｆ回路２１と、撮影画像データを記憶するバッファメモリ２２と、撮影画像中の特定領域をエリアマップとして記憶する特定領域記憶手段であるエリアメモリ２４と、エリアメモリ２４の特定領域に応じて転送アドレスを発生する転送アドレス発生回路２３と、転送アドレスを他のアドレスに変換するアドレス変換回路２５と、エリアメモリ２４に特定領域を記憶させるためのエリアメモリ制御回路２６とを備えている。この領域画像データ作成部２０は、画像処理用ＩＣとして、１つのＩＣチップに作り込まれる。
【００１９】
ＣＰＵ３０は、本発明の画像表示装置全体の制御を司るＣＰＵであり、各構成要素に結合されておりそれらを制御する。ワークメモリ４０は、ＲＡＭなどにより構成され、ＣＰＵ３０による各構成要素の制御のために用いられ、例えば、撮影画像中の特定領域や、フレーム画像データなども記憶される。
【００２０】
表示メモリ５０は、表示パネルに表示すべき表示用画像データを記憶するメモリであり、フレーム画像データと領域画像データとが合成されたフレーム付き撮影画像データが記憶される。
【００２１】
表示パネル６０は、液晶表示パネルや有機ＥＬ表示パネルなどの表示パネルであり、表示させるための表示ドライバを含んでいる。
【００２２】
データバスＢＵＳ−Ｄは画像データを伝送させるバスであり、各構成要素に結合されている。また、コントロールバスＢＵＳ−Ｃは、アドレスを伝送させるアドレスバスを有する外、チップセレクト信号線、リード／ライト信号線、クロック信号線、各種のバス制御信号線などを含んでおり、それそれのバスや信号線は所要の各構成要素に結合されている。
【００２３】
以上のように構成されている画像表示装置の動作を、各構成要素の説明とともに、順次説明する。
【００２４】
フレーム付き撮影画像データを表示する場合には、まず、ワークメモリ４０に記憶されているフレーム画像データとなるべき画像データを、ＣＰＵ３０の制御によりデータバスＢＵＳ−Ｄ及びコントロールバスＢＵＳ−Ｃを介して、表示メモリ５０に書き込む。このフレーム画像データとなるべき画像データは、特定領域（図中のハート形）以外の領域の画像データでよい。しかし、特定領域の画像データが後から上書きされる場合には、その特定領域を考慮することなく１画面分の画像データを書き込むことでもよい。この場合には、フレーム画像データとして、１画面分の画像データを表示メモリ５０に書き込むので、書き込みのデータ量は多くなるが、特定領域の形状に関わらず一様にデータ書き込みを行うことができる。
【００２５】
フレーム画像データとなるべき画像データは、ワークメモリ４０に記憶されている複数の画像データから、使用者の好みに応じて選択して使用されるが、通常頻繁には変更されない。
【００２６】
次に、カメラ１０で被写体が撮影され、１画面分毎の撮影画像が同期信号とともに領域画像データ作成部２０のカメラＩ／Ｆ回路２１に入力される。入力された撮影画像は、同期信号に基づいて作成される書き込みアドレスにしたがって、１画面毎にバッファメモリ２２に書き込まれる。
【００２７】
一方、特定領域記憶手段であるエリアメモリ２４は、各画素が１ビットのＲＡＭで構成されており、例えば、特定領域（図中のハート形領域）のビットを‘１’、特定領域以外の領域のビットを‘０’に設定することにより、特定領域が記憶される。この特定領域の記憶は、ＣＰＵ３０からの指令に基づいてエリアメモリ制御回路２６により実行される。
【００２８】
このエリアメモリ２４の特定領域は、任意の形状、任意の大きさに設定することができるし、一の領域のみでなく、複数の領域に設定することができる。この設定された特定領域は、ＣＰＵ３０で確認するために、エリアメモリ制御回路２６を介してＣＰＵ側に読み出すことができるように構成されている。
【００２９】
エリアメモリ２４に記憶された特定領域は、転送アドレス発生回路２３からの指令信号によりラスター走査によって順次読み出される。転送アドレス発生回路２３では、特定領域を示すビット‘１’がエリアメモリ２４から検出された時にその対応するアドレスを発生し、バッファメモリ２２に読み出しアドレスとして供給される。バッファメモリ２２からは、読み出しアドレスに対応した画像データが読み出される。
【００３０】
また、読み出しアドレスはアドレス変換回路２５にも供給され、所定のアドレス変換が行われてコントロールバスＢＵＳ−Ｃに供給される。このアドレス変換回路２５は、領域画像データ作成部２０内のアドレスとＣＰＵ３０や表示メモリ５０側のアドレスとがアドレス表現において異なるときに、相互の間でのアドレスを変換するものである。したがって、双方のアドレス表現が同じ時には、アドレス変換回路２５は不要である。
【００３１】
また、転送アドレス発生回路２３では、特定領域以外の領域を示すビット‘０’がエリアメモリ２４から検出された時には、アドレスを発生させずに、書き込み不許可信号を発生する。この書き込み不許可信号が、アドレス変換回路２５を介してコントロールバスＢＵＳ−Ｃに供給される。
【００３２】
このようにして、１画面分の撮影画像のうちの特定領域の撮影画像データとそのアドレスが、領域画像データ作成部２０からデータバスＢＵＳ−ＤとコントロールバスＢＵＳ−Ｃに供給される。
【００３３】
さて、撮影画像データとそのアドレスが領域画像データ作成部２０から供給される状態では、ＣＰＵ３０の制御により、その画像データをＤＭＡ（Ｄｉｒｅｃｔ　Ｍｅｍｏｒｙ　Ａｃｃｅｓｓ）方式により、表示メモリ５０に直接転送するように設定されている。ＤＭＡ方式としては、例えばメモリサイクルスチール方式、ＣＰＵサイクルスチール方式やインターロック方式などがあり、表示システムに合わせて適切な方式が採用できる。
【００３４】
このＤＭＡ方式により、特定領域の画像データ（即ち、領域画像データ）は、バッファメモリ２２から表示メモリ５０へそのアドレスにしたがって、従来のようにワークメモリ４０に供給されることなく、表示メモリ５０の特定領域に対応した領域に直接転送され、記憶される。この特定領域以外の領域にフレーム画像データが既に記憶されているから、領域画像データの記憶により、フレーム付き撮影画像データが表示メモリ５０に記憶される。そして、この領域画像データが順次更新されていく。
【００３５】
表示メモリ５０の順次更新されるフレーム付き撮影画像データが、表示パネル６０に表示される。
【００３６】
なお、フレーム画像を表示しない場合には、ＣＰＵ３０でアドレスを発生させ、アドレス変換回路２５を介して逆にバッファメモリ２２にアドレスを供給して、バッファメモリ２２から１画面分の画像データを順次読み出す。その読み出された画像データを、発生されているアドレスにしたがって表示メモリ５０にＤＭＡ転送することによって、撮影画像データを表示メモリ５０に記憶させる。
【００３７】
この図１の第１の実施の形態によれば、表示メモリ５０にフレーム画像となる画像データを予め記憶させ、特定領域の撮影画像データのみをＤＭＡ転送させ、撮影画像をフレーム画像付きで表示する。これにより、撮影された画像データのうち特定領域の画像データのみを伝送することで転送量を削減し、その削減された画像データの転送回数を少なくする。したがって、データバスＢＵＳ−Ｄ、コントロールバスＢＵＳ−Ｃの占有率を小さくし、ＣＰＵ３０の処理負担を軽減できる。また、その結果、表示フレームレートを向上することができ、より滑らかな動画表示も可能になる。また、ＤＭＡ転送させる特定領域の記憶手段にエリアメモリ２４を用いることにより、その特定領域を任意の形状に設定することができる。
【００３８】
図２は本発明の第２の実施の形態に係るカメラ付き画像表示装置の構成を示す図である。
【００３９】
図２において、特定領域記憶手段として、エリアメモリ２４に代えてエリアレジスタ２７を設け、それに応じてエリアメモリ制御回路２６に代えてエリアレジスタ制御回路２６Ａを設けている点で、図１の第１の実施の形態と異なっている。その外の点は、図１と同様である。
【００４０】
エリアレジスタ２７は、特定領域を複数点の座標にしたがって決定させるための座標を記憶するためのレジスタである。この複数点の座標は、ＣＰＵ３０からエリアレジスタ制御回路２６Ａを介してエリアレジスタ２７に供給される。
【００４１】
１つの矩形領域を設定するためには２個の座標でよいから、エリアレジスタ２７、エリアレジスタ制御回路２６Ａの構成が、エリアメモリ２４、エリアメモリ制御回路２６に比べて簡単である。また、矩形領域は、１つに限ることなく、任意数の領域を設定することができる。また、複数の矩形の組み合わせによって、種々の形状の特定領域を設定することができる。
【００４２】
そして、この特定領域を決定する座標は数値データで与えられるから、転送アドレス発生回路２３は座標の数値データに基づいて特定領域が直ちに判別できる。したがって、アドレスを発生させるべきか否かを、図１のエリアメモリ２４のエリアマップのように逐次確認する必要がなく、速やかに特定領域内のアドレスだけを発生させる。
【００４３】
このように、第２の実施の形態では、更に、ＤＭＡ転送させる特定領域の記憶手段にエリアレジスタ２７を用いることにより、その特定領域を複数点（最小２点）の座標指定により容易に設定でき、速やかに特定領域内のアドレスだけを発生させることができる。
【００４４】
図３は、本発明の第３の実施の形態に係るカメラ付き画像表示装置の構成を示す図である。
【００４５】
図３において、読み出しアドレス発生回路２８を設けて読み出しアドレスを発生させ、その読み出しアドレスをバッファメモリ２２に供給している。更に、ゲート回路２９を設けて、そのゲート回路２９に読み出しアドレス発生回路２８で発生された読み出しアドレスを供給するとともに、その読み出しアドレスを通過させるか否かをゲート回路２９の開または閉により制御している。その他の構成は、図１の第１の実施の形態と同様である。
【００４６】
ゲート回路２９には、エリアメモリ２４のエリアマップに応じた‘１’または‘０’が供給されており、したがってゲート回路２９の開または閉の制御はエリアメモリ２４のエリアマップに基づいて行われる。また、ゲート回路２９が閉でアドレスの通過が阻止された場合には、ゲート回路２９或いはアドレス変換回路２５において書き込み不許可信号を当該アドレスに代えて発生し、コントロールバスＢＵＳ−Ｃに供給する。
【００４７】
読み出しアドレス発生回路２８で発生されたアドレスにしたがって、バッファメモリ２２の画像データが読み出される。一方、アドレスは、エリアメモリ２４のエリアマップに対応する部分のアドレスのみがコントロールバスＢＵＳ−Ｃに供給され、それ以外のアドレスに代えて書き込み不許可信号が供給される。
【００４８】
これにより、データバスＢＵＳ−Ｄには、バッファメモリ２２から読み出された画像データが供給されるが、そのうちのエリアメモリ２４のエリアマップに対応する部分のみの画像データが、表示メモリ５０にＤＭＡ転送され、記憶される。
【００４９】
このように、第３の実施の形態では、更に、読み出しアドレス発生回路２８により読み出しアドレスを発生させ、バッファメモリ２２から画像データを読み出すとともに、この読み出しアドレスをエリアメモリ２４のエリアマップにしたがって通過或いは阻止するゲート回路を介してコントロールバスＢＵＳ−Ｃに供給する。これにより、エリアマップに対応する画像データのみを、ＤＭＡ転送させることができる。
【００５０】
なお、この第３の実施の形態において、その変形例として、エリアメモリ２４に代えて、エリアレジスタ２７を設けることができる。この場合にもほぼ同様の効果を得ることができるとともに、第２の実施の形態と同様にエリアレジスタ２７による特有の効果を得ることができる。
【００５１】
図４は、本発明の第４の実施の形態に係るカメラ付き画像表示装置の構成を示す図である。
【００５２】
図４において、読み出しアドレス発生回路２８から発生させる読み出しアドレスの発生領域を決定するためのエリアレジスタ２７を設けている。エリアレジスタ２７は、読み出しアドレス発生回路２８中に設けてもよい。このエリアレジスタ２７での領域は、エリアメモリ２４のエリアマップ（ハート形）の全てを含むような大きさ（破線で図示している）に設定されている。その大きさは、エリアマップを含み得る最小の大きさに設定することがよい。また、特定領域をエリアマップとしてエリアメモリ２４に記憶させるとともに、読み出しアドレスを発生する領域を決定させる複数点の座標をエリアレジスタ２７に記憶させるためのエリアメモリ制御回路２６Ｂを設けている。その他の点は、図３の第３の実施の形態と同様である。
【００５３】
読み出しアドレス発生回路２８から読み出しアドレスを発生する領域を決定する座標は数値データで与えられるから、読み出しアドレス発生回路２８は座標の数値データに基づいてそのアドレス発生領域が直ちに判別できる。したがって、アドレスを発生させるべきか否かを、エリアマップのように逐次確認する必要がなく、速やかにアドレス発生領域内のアドレスだけを発生させる。
【００５４】
このように、第４の実施の形態では、図３の第３の実施の形態において、更に、読み出しアドレスを発生する領域を、ＤＭＡ転送させるエリアマップを含む最小の矩形領域に設定している。これにより、バッファメモリ２２から読み出される画像データのうちＤＭＡ転送されない、無駄な画像データが少なくなり、データバスＢＵＳ−Ｄ、コントロールバスＢＵＳ−Ｃの占有率が一層低減される。
【００５５】
【発明の効果】
本発明によれば、撮影画像をフレーム画像付きで表示するものにおいて、表示メモリにフレーム画像となる画像データを予め記憶させ、表示メモリ内の更新エリア、即ち特定領域の撮影画像データのみをＤＭＡ転送する。これにより、撮影された画像データの伝送量を削減するとともに、その削減された画像データの転送回数を少なくする。したがって、データバス、アドレスバスの占有率を小さくし、ＣＰＵの処理負担を軽減できる。また、その結果、表示フレームレートを向上することができ、よりスムーズな動画表示が可能になる。
【００５６】
また、ＤＭＡ転送させる特定領域の記憶手段にエリアメモリを用いることにより、その特定領域を任意の形状に設定することができる。また、ＤＭＡ転送させる特定領域の記憶手段にエリアレジスタを用いることにより、その特定領域を複数点（最小２点）の座標指定により容易に設定できる。
【図面の簡単な説明】
【図１】本発明の第１の実施の形態にかかるカメラ付き画像表示装置の構成図。
【図２】本発明の第２の実施の形態にかかるカメラ付き画像表示装置の構成図。
【図３】本発明の第３の実施の形態にかかるカメラ付き画像表示装置の構成図。
【図４】本発明の第４の実施の形態にかかるカメラ付き画像表示装置の構成図。
【符号の説明】
１０　カメラ
２０　領域画像データ作成部
２１　カメラＩ／Ｆ回路
２２　バッファメモリ
２３　転送アドレス発生回路
２４　エリアメモリ
２５　アドレス変換回路
２６、２６Ｂ　エリアメモリ制御回路
２６Ａ　エリアレジスタ制御回路
２７　エリアレジスタ
２８　読み出しアドレス発生回路
２９　ゲート回路
３０　ＣＰＵ
４０　ワークメモリ
５０　表示メモリ
６０　表示パネル
ＢＵＳ−Ｄ　データバス
ＢＵＳ−Ｃ　コントロールバス
【図１】
2004094498.tif 000003
【図２】
2004094498.tif 000004
【図３】
2004094498.tif 000005
【図４】
2004094498.tif 000006